(57)【要約】【課題】他人に見られたくない表示を、簡便な操作で秘匿することができる携帯型表示装置を提供する。【解決手段】少なくとも画像情報を表示する表示部６と該表示部６に前記画像情報を供給して表示制御を行う表示制御部５とを筐体１に配設した携帯型表示装置であって、前記画像情報を前記表示部６で表示している状態で、前記画像情報を視認不能とする画像秘匿要求動作を検出する動作検出部２を備え、前記表示制御部５は、前記動作検出部２で前記画像秘匿要求動作を検出したときに、前記表示部６に対して前記画像情報を視認不能とする画像秘匿処理を行った画像情報を供給する画像秘匿処理部を備えている。【選択図】図２
2007094378.tif 000002
【特許請求の範囲】
【請求項１】
少なくとも画像情報を表示する表示部と該表示部に前記画像情報を供給して表示制御を
行う表示制御部とを筐体に配設した携帯型表示装置であって、
前記画像情報を前記表示部で表示している状態で、前記画像情報を視認不能とする画像
秘匿要求動作を検出する動作検出部を備え、前記表示制御部は、前記動作検出部で前記画
像秘匿要求動作を検出したときに、前記表示部に対して前記画像情報を視認不能とする画
像秘匿処理を行った画像情報を供給する画像秘匿処理部を備えていることを特徴とする携
帯型表示装置。
【請求項２】
少なくとも画像情報を表示する表示部と該表示部に前記画像情報を供給して表示制御を
行う表示制御部とを筐体に配設した携帯型表示装置であって、
前記画像情報を前記表示部で表示している状態で、前記画像情報を視認不能とする画像
秘匿要求動作を検出する動作検出部を備え、前記表示制御部は、前記動作検出部で前記画
像秘匿要求動作を検出したときに、前記画像情報を記憶する画像情報記憶部と、前記動作
検出部で前記画像秘匿要求動作を検出したときに、前記表示部に対して前記画像情報を視
認不能とする画像秘匿処理を行った画像情報を供給する画像秘匿処理部と、前記表示部で
前記画像秘匿処理部によって前記画像秘匿処理を行った画像情報を表示している状態で、
前記画像情報の再表示要求動作を検出する再表示要求検出部と、該再表示要求検出部で前
記再表示要求動作を検出したときに、前記表示部に対して前記画像記憶部に記憶している
前記画像情報を前記表示部に供給して画像表示を再開させる画像表示再開部とを備えてい
ることを特徴とする携帯型表示装置。
【請求項３】
前記再表示要求検出部は、前記画像秘匿要求動作の揺動動作と同一又は異なる特定の揺
動動作を検出したときに、前記再表示要求動作であることを検出するように構成されてい
ることを特徴とする請求項２に記載の携帯型表示装置。
【請求項４】
前記再表示要求検出部は、前記筐体の角速度を検出するジャイロを有し、該ジャイロで
検出した角速度の変化パターンが前記画像秘匿要求動作の第１の所定パターンと同一又は
異なる第２の所定パターンであるときに、前記再表示要求動作であることを検出するよう
に構成されていることを特徴とする請求項２に記載の携帯型表示装置。
【請求項５】
前記再表示要求検出部は、再表示要求パスワードの入力キー及び再表示要求キーの少な
くとも一方のキー入力を検出するキー入力検出部を有し、該キー入力検出部でキー入力を
検出したときに、前記再表示要求動作であることを検出するように構成されていることを
特徴とする請求項２に記載の携帯型表示装置。
【請求項６】
前記再表示要求検出部は、外部機器との接続を検出する外部機器接続検出部を有し、前
記画像情報を秘匿している状態で、前記外部機器接続検出部で新たな前記外部機器の接続
を検出したときに、前記再表示要求動作であることを検出するように構成されていること
を特徴とする請求項２に記載の携帯型表示装置。
【請求項７】
前記再表示要求検出部は、外部通信機器との通信を検出する通信検出部を有し、前記画
像情報を秘匿している状態で、前記通信検出部で前記外部通信機器との新たな通信を検出
したときに、前記再表示要求動作であることを検出するように構成されていることを特徴
とする請求項２に記載の携帯型表示装置。
【請求項８】
前記動作検出部は、前記筐体の所定の揺動状態を検出したときに画像秘匿要求動作であ
ることを検出するように構成されていることを特徴とする請求項１乃至７の何れか１項に
記載の携帯型表示装置。
【請求項９】
前記動作検出部は、前記筐体の角速度を検出するジャイロを有し、該ジャイロで検出し
た角速度の変化パターンが第１の所定パターンであるときに、前記画像秘匿要求動作であ
ることを検出するように構成されていることを特徴とする請求項１乃至７の何れか１項に
記載の携帯型表示装置。
【請求項１０】
前記画像秘匿処理部は、前記ジャイロで検出した角速度に基づいて画像秘匿要求動作を
検出したときに、当該角速度に基づいて最大回転角を算出する最大回転角算出手段と、前
記表示部における個々の画素と、前記最大回転角算出手段で算出した最大回転角とに基づ
いて所要数の比較対象画素を選択する比較対象画素選択手段と、該比較対象画素選択手段
で選択した比較対象画素の輝度平均値を算出する平均値算出手段と、該平均値算出手段で
算出した輝度平均値を前記個々の画素の輝度情報として設定する輝度情報変換手段とを備
えていることを特徴とする請求項９に記載の携帯型表示装置。
【請求項１１】
前記画像秘匿処理部は、前記ジャイロで検出した角速度に基づいて画像秘匿要求動作を
検出したときに、当該画像秘匿要求動作検出時の角速度データを複数の時間帯に分割し、
分割した各時間帯における角速度の動きの方向と移動量とに基づいてボカシフィルタを生
成するボカシフィルタ生成手段と、該ボカシフィルタ生成手段で生成したボカシフィルタ
に基づいて前記画像情報をフィルタ処理するフィルタ処理手段とを備えていることを特徴
とする請求項９に記載の携帯型表示装置。
【請求項１２】
前記画像秘匿処理部は、前記画像秘匿要求動作検出時に、前記画像情報を複数の画像領
域に分割し、分割した画像領域同士を無作為に入れ換える画像秘匿処理を行うように構成
されていることを特徴とする請求項１乃至９の何れか１項に記載の携帯型表示装置。
【請求項１３】
前記画像秘匿処理部は、前記画像情報とは異なる参照用画像情報を記憶する参照用画像
情報記憶部を有し、前記画像秘匿要求動作検出時に、前記画像情報と前記参照用画像情報
とを夫々複数の画像に等分割し、前記画像情報の画像領域のうち任意の画像領域を無作為
に抽出した参照用画像情報の画像領域と入れ換える画像秘匿処理を行うように構成されて
いることを特徴とする請求項１乃至９の何れか１項に記載の携帯型表示装置。
【請求項１４】
前記画像秘匿処理部は、前記画像情報とは異なる代替画像情報を記憶する代替画像情報
記憶部を有し、前記画像秘匿要求動作検出時に、前記画像情報を前記代替画像情報に置換
する画像秘匿処理を行うように構成されていることを特徴とする請求項１乃至９の何れか
一項に記載の携帯型表示装置。
【請求項１５】
前記画像秘匿処理部は、前記画像秘匿要求動作検出時に、前記表示部への前記画像情報
の供給を停止して、前記表示部を無表示状態に制御する画像秘匿処理を行うように構成さ
れていることを特徴とする請求項１乃至９の何れか１項に記載の携帯型表示装置。
【請求項１６】
前記画像秘匿処理部は、前記画像秘匿要求動作検出時に、前記画像情報を含む他人に見
られたくない情報を暗号化するように構成されていることを特徴とする請求項１乃至９の
何れか１項に記載の携帯型表示装置。
【請求項１７】
前記画像秘匿処理部は、前記画像秘匿要求動作検出時に、前記画像情報を含む他人に見
られたくない情報を暗号化するように構成され、前記画像表示再開部は、前記再表示要求
動作を検出したときに、暗号化された情報を解読キーを使用して復号するように構成され
ていることを特徴とする請求項２に記載の携帯型表示装置。
【請求項１８】
前記表示部は、視野角を少なくとも広視野角及び狭視野角に設定可能な液晶ディスプレ
イで構成され、前記画像秘匿処理部は、前記画像秘匿要求動作検出時に、前記液晶ディス
プレイの視野角を広視野角から狭視野角に切り替える画像秘匿処理を行うように構成され
ていることを特徴とする請求項１乃至９の何れか１項に記載の携帯型表示装置。
【請求項１９】
画像情報を表示部に表示するステップと、
前記画像情報を視認不能とする画像秘匿要求動作を検出するステップと、
前記画像秘匿要求動作を検出したときに、前記画像情報を視認不能にする画像秘匿処理
を行うステップと、を備えたことを特徴とする携帯型表示装置の表示方法。
【請求項２０】
画像情報を表示部に表示するステップと、
前記画像情報を視認不能とする画像秘匿要求動作を検出するステップと、
前記画像秘匿要求動作を検出したときに、前記画像情報を記憶するステップと、
前記画像秘匿要求動作を検出したときに、前記画像情報を視認不能にする画像秘匿処理
を行うステップと、
前記画像情報の再表示要求動作を検出するステップと、
前記再表示要求動作を検出したときに、記憶している前記画像情報を再表示するステッ
プと、を備えたことを特徴とする携帯型表示装置の表示方法。
【請求項２１】
画像情報を表示部に表示するステップと、
前記画像情報を視認不能とする画像秘匿要求動作を検出するステップと、
前記画像秘匿要求動作を検出したときに、前記画像情報を視認不能にする画像秘匿処理
を行うステップと、をコンピュータに実行させることを特徴とする携帯型表示装置の表示
制御プログラム。
【請求項２２】
画像情報を表示部に表示するステップと、
前記画像情報を視認不能とする画像秘匿要求動作を検出するステップと、
前記画像秘匿要求動作を検出したときに、前記画像情報を記憶するステップと、
前記画像秘匿要求動作を検出したときに、前記画像情報を視認不能にする画像秘匿処理
を行うステップと、
前記画像情報の再表示要求動作を検出するステップと、
前記再表示要求動作を検出したときに、記憶している前記画像情報を再表示するステッ
プと、をコンピュータに実行させることを特徴とする携帯型表示装置の表示制御プログラ
ム。
【発明の詳細な説明】
【技術分野】
【０００１】
本発明は、携帯型表示装置、携帯型表示装置の表示方法及び表示制御プログラムに関す
る。
【背景技術】
【０００２】
携帯電話機、ＰＤＡ（Ｐｅｒｓｏｎａｌ  Ｄｉｇｉｔａｌ  Ａｓｓｉｓｔａｎｔ）など
の携帯型表示装置は、どこにでも持ち運べていつでも使えるという利便性の故に、表示部
に表示している内容を周囲の人に見られてしまう恐れがある。このため、他人に見られた
くない画像・情報等を表示しているときに、他人が近づいてきたら素早く表示内容を隠せ
るような手段が必要となる。
【０００３】
その手段として、一般的にはボタンなどからの入力操作により、表示内容を切り換えた
り、表示内容を消したりする方法が考えられるが、携帯型表示装置では、近年多機能化、
小型化が進み、ボタンなどの入力装置は小さくなってきており、更に一つのボタンに複数
の機能が割り当てられたりして、入力操作がしづらくなってきている。
この問題に対して、特許文献１のような回転ダイアルと回転ダイアルの中央にあるボタ
ンの組み合わせで入力装置の操作性を改善しようとする提案がなされている。
【特許文献１】特開平２００４−３２６４２７号公報
【発明の開示】
【発明が解決しようとする課題】
【０００４】
しかしながら、上記特許文献１に記載された従来例にあっては、通常の入力時にはその
操作性を改善することができるが、上記のような表示部に表示された秘匿性を有する画像
を他人に覗かれるのを防ぐといった素早い操作が必要な場合には、入力装置のサイズや入
力方法等の物理的な問題に加えて、あせりや緊張等の心理的な面からの影響があり、小さ
い入力装置に対する素早い入力操作は大変な困難が伴う。
【０００５】
また、その操作は他人に気付かれる可能性もあり、あらからさまにそのような態度をさ
れると周辺にいる人が気分を害することもある。他人に気付かれずにボタン等の組み合わ
せで操作することは難しい状況が考えられる。
そこで、本発明は、上記従来例の未解決の課題に着目してなされたものであり、他人に
見られたくない画像情報を、簡便な操作で秘匿することができる携帯型表示装置、表示方
法及び表示制御プログラムを提供することを目的としている。
【課題を解決するための手段】
【０００６】
上記課題を解決するために、本発明に係る第１の発明は、少なくとも画像情報を表示す
る表示部と該表示部に前記画像情報を供給して表示制御を行う表示制御部とを筐体に配設
した携帯型表示装置であって、前記画像情報を前記表示部で表示している状態で、前記画
像情報を視認不能とする画像秘匿要求動作を検出する動作検出部を備え、前記表示制御部
は、前記動作検出部で前記画像秘匿要求動作を検出したときに、前記表示部に対して前記
画像情報を視認不能とする画像秘匿処理を行った画像情報を供給する画像秘匿処理部を備
えていることを特徴とする携帯型表示装置を提供する。
上記構成によれば、画像情報を表示部で表示している状態で、筐体に例えば左右方向の
揺動を与えるなどの所定の動作を行うだけで、画像秘匿処理が行なわれ、画像情報を視認
不能にすることにより、他人に視認されたくない画像情報を確実に秘匿することが可能に
なるという効果を有する。
【０００７】
上記課題を解決するために、本発明に係る第２の発明は、少なくとも画像情報を表示す
る表示部と該表示部に前記画像情報を供給して表示制御を行う表示制御部とを筐体に配設
した携帯型表示装置であって、前記画像情報を前記表示部で表示している状態で、前記画
像情報を視認不能とする画像秘匿要求動作を検出する動作検出部を備え、前記表示制御部
は、前記動作検出部で前記画像秘匿要求動作を検出したときに、前記画像情報を記憶する
画像情報記憶部と、前記動作検出部で前記画像秘匿要求動作を検出したときに、前記表示
部に対して前記画像情報を視認不能とする画像秘匿処理を行った画像情報を供給する画像
秘匿処理部と、前記表示部で前記画像秘匿処理部によって前記画像秘匿処理を行った画像
情報を表示している状態で、前記画像情報の再表示要求動作を検出する再表示要求検出部
と、該再表示要求検出部で前記再表示要求動作を検出したときに、前記表示部に対して前
記画像記憶部に記憶している前記画像情報を前記表示部に供給して画像表示を再開させる
画像表示再開部とを備えていることを特徴とする携帯型表示装置を提供する。
【０００８】
上記構成によれば、上記第１の発明と同様の効果を有する他、画像情報を視認不能とす
る前に画像情報記憶部に画像情報を記憶するので、画像情報を視認不能とした状態で、他
人に見られる恐れがなくなったときに、所定の再表示要求動作をすれば、画像情報記憶部
に記憶されている画像情報の表示を再開させることが可能になるという効果を有する。
上記課題を解決するために、本発明に係る第３の発明は、第２の発明において、前記再
表示要求検出部は、前記画像秘匿要求動作の揺動動作と同一又は異なる特定の揺動動作を
検出したときに、前記再表示要求動作であることを検出するように構成されていることを
特徴とする携帯型表示装置を提供する。
【０００９】
上記構成によれば、筐体を例えば上下に振るような特定の揺動状態にするだけで、再表
示要求動作であることが検出され、画像情報記憶部に記憶されている画像情報の表示を再
開させることが可能になるという効果を有する。
上記課題を解決するために、本発明に係る第４の発明は、第２の発明において、前記再
表示要求検出部は、前記筐体の角速度を検出するジャイロを有し、該圧電式ジャイロで検
出した角速度の変化パターンが前記画像秘匿要求動作の第１の所定パターンと同一又は異
なる第２の所定パターンであるときに、前記再表示要求動作であることを検出するように
構成されていることを特徴とする携帯型表示装置を提供する。
【００１０】
上記構成によれば、ジャイロを用いることにより、筐体の揺動を正確に検出することが
でき、設定角速度以上で筐体を揺動させるだけの簡易な操作で画像情報の再表示が可能に
なるという効果を有する。
上記課題を解決するために、本発明に係る第５の発明は、第２の発明において、前記再
表示要求検出部は、再表示要求パスワードの入力キー及び再表示要求キーの少なくとも一
方のキー入力を検出するキー入力検出部を有し、該キー入力検出部でキー入力を検出した
ときに、前記再表示要求動作であることを検出するように構成されていることを特徴とす
る携帯型表示装置を提供する。
【００１１】
上記構成によれば、再表示要求パスワード及び再表示要求キーの少なくとも一方を入力
するという簡易な操作で、画像情報の再表示要求動作であることが検出され、秘匿された
画像の再表示が可能になるという効果を有する。
上記課題を解決するために、本発明に係る第６の発明は、第２の発明において、前記再
表示要求検出部は、外部機器との接続を検出する外部機器接続検出部を有し、前記画像情
報を秘匿している状態で、前記外部機器接続検出部で新たな前記外部機器の接続を検出し
たときに、前記再表示要求動作であることを検出するように構成されていることを特徴と
する携帯型表示装置を提供する。
【００１２】
上記構成によれば、外部機器を接続するだけで、例えば充電器につないで充電をするだ
けで、画像情報の再表示要求動作であることが検出され、画像情報の再表示が可能になる
という効果を有する。
上記課題を解決するために、本発明に係る第７の発明は、第２の発明において、前記再
表示要求検出部は、外部通信機器との通信を検出する通信検出部を有し、前記画像情報を
秘匿している状態で、前記通信検出部で前記外部通信機器との新たな通信を検出したとき
に、前記再表示要求動作であることを検出するように構成されていることを特徴とする携
帯型表示装置を提供する。
【００１３】
上記構成によれば、外部通信機器からの通信があるだけで、例えば携帯電話機に適用し
た場合には、他の電話機から当該携帯電話機に電話をかけるだけで画像情報の再表示要求
動作であることが検出され、画像情報の再表示が可能になるという効果を有する。
上記課題を解決するために、本発明に係る第８の発明は、第１乃至第７の何れか一つの
発明において、前記動作検出部は、前記筐体の所定の揺動状態を検出したときに画像秘匿
要求動作であることを検出するように構成されていることを特徴とする携帯型表示装置を
提供する。
【００１４】
上記構成によれば、例えば筐体を左右に振るような所定の揺動状態にするだけで、画像
秘匿処理が行なわれ、画像情報を視認不能にすることが可能になるという効果を有する。
上記課題を解決するために、本発明に係る第９の発明は、第１乃至第７の何れか一つの
発明において、前記動作検出部は、前記筐体の角速度を検出するジャイロを有し、該ジャ
イロで検出した角速度の変化パターンが第１の所定パターンであるときに、前記画像秘匿
要求動作であることを検出するように構成されていることを特徴とする携帯型表示装置を
提供する。
【００１５】
上記構成によれば、ジャイロを用いることにより、筐体の揺動を正確に検出することが
でき、第４の発明と異なる設定角速度以上で筐体を揺動させるだけの簡易な操作で画像情
報を視認不能とすることができるという効果を有する。このとき、筐体を素早く移動させ
るだけでも画像情報が他人に視認されることを回避できるので画像秘匿要求動作中でも確
実に秘匿状態とすることができるという効果を有する。
【００１６】
上記課題を解決するために、本発明に係る第１０の発明は、第９の発明において、前記
画像秘匿処理部は、前記ジャイロで検出した角速度に基づいて画像秘匿要求動作を検出し
たときに、当該角速度に基づいて最大回転角を算出する最大回転角算出手段と、前記表示
部における個々の画素と、前記最大回転角算出手段で算出した最大回転角とに基づいて所
要数の比較対象画素を選択する比較対象画素選択手段と、該比較対象画素選択手段で選択
した比較対象画素の輝度平均値を算出する平均値算出手段と、該平均値算出手段で算出し
た輝度平均値を前記個々の画素の輝度情報として設定する輝度情報変換手段とを備えてい
ることを特徴とする携帯型表示装置を提供する。
【００１７】
上記構成によれば、輝度情報変換後も画像情報は表示されたままであるので秘匿状態で
あることを認識することができるという効果を有する。
上記課題を解決するために、本発明に係る第１１の発明は、第９の発明において、前記
画像秘匿処理部は、前記ジャイロで検出した角速度に基づいて画像秘匿要求動作を検出し
たときに、当該画像秘匿要求動作検出時の角速度データを複数の時間帯に分割し、分割し
た各時間帯における角速度の動きの方向と移動量とに基づいてボカシフィルタを生成する
ボカシフィルタ生成手段と、該ボカシフィルタ生成手段で生成したボカシフィルタに基づ
いて前記画像情報をフィルタ処理するフィルタ処理手段とを備えていることを特徴とする
携帯型表示装置を提供する。
【００１８】
上記構成によれば、ボカシフィルタによるフィルタ処理のため画像秘匿処理が容易に行
えるという効果を有する。
上記課題を解決するために、本発明に係る第１２の発明は、第１乃至第９の発明の何れ
か一つの発明において、前記画像秘匿処理部は、前記画像秘匿要求動作検出時に、前記画
像情報を複数の画像領域に分割し、分割した画像領域同士を無作為に入れ換える画像秘匿
処理を行うように構成されていることを特徴とする携帯型表示装置を提供する。
【００１９】
上記構成によれば、画像情報を複数の画像領域に分割して無作為に入れ換える画像秘匿
処理により秘匿したい画像情報がパズル状になることで画像秘匿中ということが認識でき
るという効果を有する。また、個々の部分的な画像からユーザ本人にはどの画像を秘匿し
たかが認識し易いという効果を有する。
上記課題を解決するために、本発明に係る第１３の発明は、第１乃至第９の発明の何れ
か一つの発明において、前記画像秘匿処理部は、前記画像情報とは異なる参照用画像情報
を記憶する参照用画像情報記憶部を有し、前記画像秘匿要求動作検出時に、前記画像情報
と前記参照用画像情報とを夫々複数の画像に等分割し、前記画像情報の画像領域のうち任
意の画像領域を無作為に抽出した参照用画像情報の画像領域と入れ換える画像秘匿処理を
行うように構成されていることを特徴とする携帯型表示装置を提供する。
【００２０】
上記構成によれば、画像情報と参照用画像情報とを夫々複数の画像に等分割して無作為
に入れ換える画像秘匿処理により画像情報が複雑なパズル状になることで画像秘匿中とい
うことが認識できるという効果を有する。また、参照用画像情報を選定することで画像秘
匿がより確実に行えるという効果を有する。
上記課題を解決するために、本発明に係る第１４の発明は、第１乃至第９の発明の何れ
か一つの発明において、前記画像秘匿処理部は、前記画像情報とは異なる代替画像情報を
記憶する代替画像情報記憶部を有し、前記画像秘匿要求動作検出時に、前記画像情報を前
記代替画像情報に置換する画像秘匿処理を行うように構成されていることを特徴とする携
帯型表示装置を提供する。
【００２１】
上記構成によれば、画像情報を代替画像情報に置換することで画像秘匿処理が容易に行
えるという効果を有する。また、代替画像情報を選定することにより、秘匿状態か否かの
判別が容易になるという効果を有する。
上記課題を解決するために、本発明に係る第１５の発明は、第１乃至第９の発明の何れ
か一つの発明において、前記画像秘匿処理部は、前記画像秘匿要求動作検出時に、前記表
示部への画像情報の供給を停止して、前記表示部を無表示状態に制御する画像秘匿処理を
行うように構成されていることを特徴とする携帯型表示装置を提供する。
【００２２】
上記構成によれば、画像情報の供給を停止することで画像秘匿処理が容易に行えるとい
う効果を有する。また、無表示状態となるため画像秘匿が確実に行えるという効果を有す
る。
上記課題を解決するために、本発明に係る第１６の発明は、第１乃至第９の発明の何れ
か一つの発明において、前記画像秘匿処理部は、前記画像秘匿要求動作検出時に、前記画
像情報を含む他人に見られたくない情報を暗号化するように構成されていることを特徴と
している。
【００２３】
上記構成によれば、他人に見られたくない情報を暗号化するので、他人が携帯型表示装
置を操作した場合に、他人に見られたくない情報は視認不能状態となり、確実な情報秘匿
処理を行うことができるという効果を有する。
上記課題を解決するために、本発明に係る第１７の発明は、第２の発明において、前記
画像秘匿処理部は、前記画像秘匿要求動作検出時に、前記画像情報を含む他人に見られた
くない情報を暗号化するように構成され、前記画像表示再開部は、前記再表示要求動作を
検出したときに、暗号化された情報を解読キーを使用して復号するように構成されている
ことを特徴としている。
【００２４】
上記構成によれば、画像秘匿処理部で画像情報を暗号化することにより、他人に見られ
たくない情報を視認不能状態とした場合に、再表示要求動作を検出したときに、暗号化さ
れた情報を解読キーを使用して復号することにより、元の画像情報の表示状態に復帰させ
ることができるという効果を有する。
上記課題を解決するために、本発明に係る第１８の発明は、第１乃至第９の発明の何れ
か一つの発明において、前記表示部は、視野角を少なくとも広視野角及び狭視野角に設定
可能な液晶ディスプレイで構成され、前記画像秘匿処理部は、前記画像秘匿要求動作検出
時に、前記液晶ディスプレイの視野角を広視野角から狭視野角に切り替える画像秘匿処理
を行うように構成されていることを特徴としている。
【００２５】
上記構成によれば、画像秘匿要求動作検出時に、液晶ディスプレイの視野角を広視野角
から狭視野角に切換えることにより、操作している本人のみが画像情報を視認することが
できる状態となり、他人の画像情報の視認を確実に阻止することができるという効果を有
する。
上記課題を解決するために、本発明に係る第１９の発明は、画像情報を表示するステッ
プと、前記画像情報を視認不能とする画像秘匿要求動作を検出するステップと、前記画像
秘匿要求動作を検出したときに、前記画像情報を視認不能にする画像秘匿処理ステップと
、を備えたことを特徴とする携帯型表示装置の表示方法を提供する。
【００２６】
上記方法によれば、画像情報を表示部で表示している状態で、所定の動作を行うだけで
、画像秘匿処理が行なわれ、秘匿したい画像情報を視認不能にすることにより、他人に視
認されたくない画像情報を確実に秘匿することが可能になるという効果を有する。
上記課題を解決するために、本発明に係る第２０の発明は、画像情報を表示するステッ
プと、前記画像情報を視認不能とする画像秘匿要求動作を検出するステップと、前記画像
秘匿要求動作を検出したときに、前記画像情報を記憶するステップと、前記画像情報を視
認不能にする画像秘匿処理ステップと、前記秘匿したい画像情報が視認不能の状態で、前
記画像情報の再表示要求動作を検出するステップと、前記再表示要求動作を検出したとき
に、記憶している前記画像情報を再表示するステップと、を備えたことを特徴とする携帯
型表示装置の表示方法を提供する。
【００２７】
上記方法によれば、上記第１の発明と同様の効果を有する他、画像情報を視認不能とす
る前に画像情報記憶部に画像情報を記憶するので、画像情報を視認不能とした状態で、他
人に見られる恐れがなくなったときに、所定の再表示要求動作をすれば、画像情報記憶部
に記憶されている画像情報の表示を再開させることが可能になるという効果を有する。
上記課題を解決するために、本発明に係る第２１の発明は、画像情報を表示部に表示す
るステップと、前記画像情報を視認不能とする画像秘匿要求動作を検出するステップと、
前記画像秘匿要求動作を検出したときに、前記画像情報を視認不能にする画像秘匿処理を
行うステップと、をコンピュータに実行させることを特徴とする携帯型表示装置の表示制
御プログラムを提供する。
【００２８】
上記プログラムによれば、画像情報を表示部で表示している状態で、所定の動作を行う
だけで、画像秘匿処理が行なわれ、秘匿したい画像を視認不能にすることにより、他人に
視認されたくない画像情報を確実に秘匿することが可能となるという効果を有する。
上記課題を解決するために、本発明に係る第２２の発明は、画像情報を表示部に表示す
るステップと、前記画像情報を視認不能とする画像秘匿要求動作を検出するステップと、
前記画像秘匿要求動作を検出したときに、前記画像情報を記憶するステップと、前記画像
秘匿要求動作を検出したときに、前記画像情報を視認不能にする画像秘匿処理を行うステ
ップと、前記画像情報の再表示要求動作を検出するステップと、前記再表示要求動作を検
出したときに、記憶している前記画像情報を再表示するステップと、をコンピュータに実
行させることを特徴とする携帯型表示装置の表示制御プログラムを提供する。
【００２９】
上記プログラムによれば、上記第１の発明と同様の効果を有する他、画像情報を視認不
能とする前に画像情報記憶部に画像情報を記憶するので、画像情報を視認不能とした状態
で、他人に見られる恐れがなくなったときに、所定の再表示要求動作をすれば、画像情報
記憶部に記憶されている画像情報の表示を再開させることが可能になるという効果を有す
る。
【発明を実施するための最良の形態】
【００３０】
以下、本発明を携帯電話機に適用した場合の実施の形態を図面に基づいて説明する。
図１は、本発明の実施の形態を示す斜視図であって、１００は携帯電話機であり、長方
形板状のベース部材１ａとこのベース部材１ａの上面を覆う蓋部材１ｂとがヒンジ１ｃを
介して連結され筐体１を構成している。ベース部材１ａには図１（ａ）に示すように、そ
の上面に入力ボタン等を有する入力部１０が配置されていると共にヒンジ１ｃとは反対側
にマイク２１が配置され、さらに図１（ｂ）に示すようにヒンジ１ｃ側の端面に突出して
無線通信基地局と通信する無線通信用アンテナ２２が取り付けられている。また、マイク
２１の近傍側面には、充電器等の外部機器を接続する外部機器接続部１１が設けられてい
る。蓋部材１ｂには、図１（ａ）に示すようにベース部材１ａとの対向面に表示体６が設
けられていると共に、表示体６のヒンジ側１ｃとは反対側にスピーカ２３が設けられてい
る。
【００３１】
また、蓋部材１ｂの裏面には図１（ｂ）に示すように、撮像装置９が取り付けられてい
ると共に、蓋部材１ｂの内部に筐体１の揺動状態（ベース部材１ａをユーザが手に持って
表示体６の表示面と平行な左右方向に振ったときの蓋部材１ｂの振れ方）を検出する動き
センサ２が設けられている。
【００３２】
図２は、第１実施形態における携帯電話機１００の要部ブロック図であって、筐体１の
揺動状態を検出する動きセンサ２、動きセンサ２で検出された揺動状態をデジタル信号に
変換するデータ変換部３、データ変換部３から送られてきたデジタル信号から角速度を算
出し、画像秘匿要求動作及び再表示要求動作を検出して、画像秘匿処理及び秘匿画像再表
示処理を行う他携帯電話機１００の全体を制御する演算部４、演算部４から出力される画
像情報を表示体６に表示する表示体制御部５、演算部４の角速度データ等のデータを記憶
するデータメモリ部７、演算部４の画像情報を記憶する画像メモリ部８、外部の被写体を
画像情報として取り込む撮像装置９、入力部１０を備えている。
【００３３】
ここで、動きセンサ２としては、例えば圧電式ジャイロセンサ（以下圧電式ジャイロと
いう）が好適である。この圧電式ジャイロ２０は、図３に示すようにセンサ本体１１１が
圧電材料等を使用したパッケージ１１２内に収容されており、このパッケージ１１２内は
、センサ本体１１１を収容できる形態の箱状に形成されており、センサ本体１１１を励振
する励振回路等の駆動手段（図示せず）とセンサ本体１１１からの振動を検出する回路（
図示せず）等を備えている。
【００３４】
センサ本体１１１は、水晶をエッチングして薄板状に形成された正方形の固定基板１１
３と、この固定基板１１３の一方向の対向側面に支持部１１４及び１１５を介して平行に
配設された一対の励振用振動腕１１６及び１１７と、固定基板１１３の他方の対向側面に
連接された検出用振動腕１１８及び１１９とで構成されている。各励振用振動腕１１６及
び１１７には、夫々長手方向に並んだ長い溝１２０及び１２１が形成されており、これら
の溝１２０及び１２１内に互いに異極となる励振用電極１２２及び１２３が配設されてい
る。
【００３５】
そして、この圧電式ジャイロ２０では、励振用振動腕１１６及び１１７に駆動手段とし
て図示しない励振回路から、駆動用電圧を印加することにより、図３で矢印Ｅに示すよう
に、それらの先端部同士が接近したり離間したりするようにして振動する。この際に、図
３に示すように、紙面の平面内で固定基板１１３の中心Ｏの回りに、回転角速度ωが働く
と、コリオリの力Ｆｃは、図３のＦの方向に働く。この振動は支持部１１４及び１１５及
び固定基板１１３を介して検出用振動腕１１８及び１１９に伝達される。つまり、励振用
振動腕１１６及び１１７はＸ軸方向の振動の方向と回転角速度ωとのベクトル積の方向に
働くコリオリの力Ｆｃを受けて、次式に従って、Ｙ軸に沿って＋Ｙ方向及び−Ｙ方向に交
互に振動するようになっている（ウオーク振動）。この振動は支持部１１４及び１１５と
固定基板１１３を介して検出用振動腕１１８及び１１９に伝達されて、これら検出用振動
腕１１８及び１１９が図３における矢印Ｈで示すように振動する。
【００３６】
Ｆｃ＝２ｍＶ・ω
ここで、ｍは励振用振動腕１１６及び１１７の振動部分の質量、Ｖは励振用振動腕１１
６及び１１７の速度である。
このため、検出用振動腕１１８及び１１９は、その断面を表す図４に示すように、図３
のＨ方向の振動によって、検出用振動腕１１８及び１１９の一方向の検出用電極１２４と
他方の検出用電極１２５との間には、矢印で示すような電界が生じる。この検出用振動腕
１１８及び１１９の振動に基づく電界を、信号として取り出すことにより、角速度ωを検
出することができる。このような構成の圧電式ジャイロ２０を使用することにより、１ｍ
ｍ角程度の小さなパッケージとすることができ、携帯電話機１００に十分搭載することが
可能な大きさとなる。
【００３７】
この圧電式ジャイロ２０を携帯電話機１００の表示体６の表示面と直交する軸周りの角
速度を検出するように配設することにより、表示面に平行な方向の筐体１の左右方向の揺
動状態即ちベース部材１ａをユーザが手に持って表示体６の表示面と平行な左右方向に手
首や肘などを中心に左右に振ったときに生じる蓋部材１ｂの表示面に垂直な軸周りの角速
度（ヨーレート）を検出することができる。なお、圧電式ジャイロ２０を携帯電話機１０
０の表示面に平行な面における左右方向軸の角速度を検出するように配置すると、ベース
部材１ａをユーザが手に持って表示体６の厚み方向に手首や肘などを中心に振ったときに
生じる蓋部材１ｂの左右方向軸周り角速度（ピッチ速度）を検出することができ、さらに
圧電式ジャイロ２０を携帯電話機１００の表示面に平行な面における前後方向軸の角速度
を検出するように配置すると、ベース部材１ａをユーザが手に持って手首を捻る方向に振
ったときに生じる蓋部材１ｂの前後方向軸周りの角速度（ロール速度）を検出することが
でき、これらの圧電式ジャイロ２０の何れか１つの配置方向に配置するか複数の配置方向
のジャイロを組み合わせて２軸又は３軸配置とすることもできる。圧電式ジャイロ２０を
３軸配置とすると筐体１のヨーレート、ピッチ速度、ロール速度を個別に検出することが
可能となり、使い勝手を向上させることができる。
【００３８】
演算部４は、例えばマイクロコンピュータで構成され、内装されているＲＯＭやＲＡＭ
に格納されているオペレーティングシステム、アプリケーションプログラムなどの各種の
プログラムを実行して、動きセンサ２、データ変換部３、表示体制御部５、データメモリ
部７、画像メモリ部８を制御し、動きセンサ２で検出された筐体１の所定の揺動状態に基
づいて、画像秘匿要求動作及び再表示要求動作を検出し、表示体６に表示している画像に
対して表示体制御部５を介して、後述する画像秘匿処理または秘匿された画像情報の再表
示処理という画像処理を行う。表示体６には、例えば液晶パネル、有機ＥＬパネルを適用
することができる。データメモリ部７、画像メモリ部８は上記のＲＡＭやＤＲＡＭにより
構成されている。撮像装置９には、ＣＣＤ等の固体撮像素子を用いたカメラモジュールを
適用することができる。
【００３９】
次に図５〜図７のフローチャートに基づいて第１実施形態における演算部４の画像処理
内容について説明する。最初に、通常の画像表示処理について図５のフローチャートに基
づいて説明する。
まず、ステップＳ９０で、入力部１０から画像情報の表示要求があるか否かを判定し、画
像情報表示要求がないときには、画像情報表示要求があるまで待機し、画像情報表示要求
があるときには、ステップＳ９１に移行し、画像メモリ部８から画像情報表示要求に対応
した画像情報を選択して読み出す。次にステップＳ９２で読み出した画像情報を表示体制
御部５を介して表示体６に出力してステップＳ９０に戻る。
【００４０】
次に画像秘匿・再表示処理について説明する。ここでは、筐体１を決められた時間内に
、決められた回数・速さ・方向で振る（揺動）ことにより、画像処理が行なわれるという
設定で説明する。
画像秘匿・再表示処理は、例えば携帯電話機１００の電源をオン状態として、演算部４
に電源が投入されたときに実行開始され、図６に示すように、まず、ステップＳ１で、動
きセンサ２の検出結果から筐体１の所定の揺動（以下秘匿要求動作という）回数をカウン
トする秘匿要求動作回数Ｎを０、秘匿要求動作経過時間Ｔを０に初期化して、ステップＳ
２に移行する。ステップＳ２では、他人に見られたくない表示（秘匿したい画像情報）を
秘匿するモード（以下秘匿モードという）が設定されているか否かを判定し、設定されて
いればステップＳ３に移行し、設定されていなければ処理を終了する。
【００４１】
ステップＳ３では、演算部４で算出した角速度ωを取得し、ステップＳ４に移行する。
ステップＳ４では、角速度ωの絶対値｜ω｜が予め設定してある秘匿動作判断閾値ωｓ以
上か否かを判定し、秘匿動作判断閾値ωｓ以上であれば秘匿要求動作と判断してステップ
Ｓ５に移行し、秘匿動作判断閾値ωｓ未満であれば秘匿要求動作ではないと判断してステ
ップＳ２に移行して、上記ステップを繰り返す。
【００４２】
ステップＳ５では、秘匿要求動作回数Ｎをインクリメント（Ｎ＝Ｎ＋１）してからステ
ップＳ６に移行する。ステップＳ６では、今回の秘匿要求動作が初回か否かを秘匿要求動
作回数Ｎが"１"であるか否かによって判定し、初回であればステップＳ７に移行し、初回
でなければステップＳ８に移行する。ステップＳ７では、今回が初回の秘匿要求動作であ
るのでソフトウエアタイマをセットして秘匿要求動作経過時間Ｔの計時を開始してから後
述するステップＳ１０に移行する。
【００４３】
ステップＳ８では、秘匿要求動作回数Ｎが予め設定してある秘匿動作判断回数Ｎｓ以上
か否かを判定し、秘匿動作判断回数Ｎｓ以上であれば、秘匿要求動作であると判断して後
述するステップＳ１２に移行し、秘匿要求動作回数Ｎが秘匿動作判断回数Ｎｓ未満であれ
ば、ステップＳ９に移行する。ステップＳ９では、初回の秘匿要求動作から経過した時間
Ｔが、予め設定してある秘匿動作判断経過時間Ｔｓを経過したか否かを判定し、秘匿動作
判断経過時間Ｔｓを経過していれば、これまでの秘匿要求動作は本来の秘匿要求動作では
ないと判断し、前記ステップＳ１に戻り、初回の秘匿要求動作から経過した時間Ｔが秘匿
動作判断経過時間Ｔｓを経過していなければ、ステップＳ１０に移行し角速度ωの取得を
続行し、ステップＳ１１に移行する。
【００４４】
ステップＳ１１では、角速度ωの符号（例えば右側に振れた状態を＋、左側に振れた状
態を−とする）が変わったか否かを判定し、変わった場合には、ステップＳ４に戻り、符
合が変わらなかった場合には、ステップＳ９に戻りステップＳ１１までの処理を繰り返す
。
ステップＳ１２では、下記の秘匿モード処理を行ない、ステップＳ１３に移行する。
【００４５】
ステップＳ１２で行う秘匿モード処理について、その具体的な処理内容を図７のフロー
チャートに基づいて説明する。
まず、ステップＳ６０では、演算部４で算出した表示体６の表示面に垂直な軸に対する
角速度データを取得し、ステップＳ６１に移行する。ステップＳ６１では、取得した角速
度データを積分して、最大回転角度θを求め、ステップＳ６２に移行する。ステップＳ６
２では、秘匿モード処理の順番を表示体６の表示領域の左上から右下の順に処理していく
こととし、処理対象の開始画素を左上の画素とし、ステップＳ６３に移行する。
【００４６】
次にステップＳ６３では、この当該処理対象画素から表示体６の中心点までの距離Ｒを
求め、ステップＳ６４に移行する。ステップＳ６４では、表示体６の中心点を原点、当該
処理対象画素を起点とする、角度θ半径Ｒの円弧上にある総ての画素の輝度平均値Ａを求
め、ステップＳ６５に移行する。ステップＳ６５では、当該処理対象画素の輝度を輝度平
均値Ａに置き換え、ステップＳ６６に移行する。
【００４７】
次にステップＳ６６では、表示体６の画素が総て処理されたか否かを判定し、総て処理
されていればステップＳ６８に移行し、総て処理されていなければステップＳ６７に移行
して次の順番の画素を処理対象としステップＳ６３以降の処理を続ける。
次にステップＳ６８では、総ての画素の置き換えられた輝度に基づき、表示体制御部５
を介して表示体６に画素データを表示して、秘匿モード処理を終了する。
【００４８】
図６の画像秘匿・再表示処理に戻って、ステップＳ１３では、動きセンサ２の検出結果
から筐体１の特定の揺動（以下再表示要求動作という）回数をカウントする再表示要求動
作回数Ｎ１を０、再表示要求動作経過時間Ｔ１を０に初期化して、ステップＳ１４に移行
する。ステップＳ１４では、演算部４で算出した角速度ωを取得し、ステップＳ１５に移
行する。ステップＳ１５では、角速度ωの絶対値｜ω｜が予め設定してある再表示判断閾
値ωｒ以上か否かを判定し、再表示判断閾値ωｒ以上であれば再表示要求動作と判断して
ステップＳ１６に移行し、再表示判断閾値ωｒ未満であれば再表示要求動作ではないと判
断してステップＳ１４に移行し、上記ステップを繰り返す。
【００４９】
ステップＳ１６では、再表示要求動作回数Ｎ１をインクリメント（Ｎ１＝Ｎ１＋１）し
てからステップＳ１７に移行する。ステップＳ１７では、今回の再表示要求動作が初回か
否かを再表示要求動作回数Ｎ１が"１"であるか否かによって判定し、初回であればステッ
プＳ１８に移行し、初回でなければステップＳ１９に移行する。ステップＳ１８では、今
回が初回の再表示要求動作であるのでソフトウエアタイマをセットして再表示要求動作経
過時間Ｔ１の計時を開始してから後述するステップＳ２１に移行する。
【００５０】
ステップＳ１９では、再表示要求動作回数Ｎ１が予め設定してある再表示判断回数Ｎ１
ｒ以上か否かを判定し、再表示判断回数Ｎ１ｒ以上であれば、再表示要求動作であると判
断して後述するステップＳ２３に移行し、再表示要求動作回数Ｎ１が再表示判断回数Ｎ１
ｒ未満であれば、ステップＳ２０に移行する。ステップＳ２０では、初回の再表示要求動
作から経過した時間Ｔ１が、予め設定してある再表示判断経過時間Ｔ１ｒを経過したか否
かを判定し、再表示判断経過時間Ｔ１ｒを経過していれば、これまでの再表示要求動作は
本来の再表示要求動作ではないと判断し、前記ステップＳ１３に戻り、初回の再表示要求
動作から経過した時間Ｔ１が再表示判断経過時間Ｔ１ｒを経過していなければ、ステップ
Ｓ２１に移行し角速度ωの取得を続行し、ステップＳ２２に移行する。
【００５１】
ステップＳ２２では、角速度ωの符号（例えば上側に振れた状態を＋下側に振れた状態
を−とする）が変わったか否かを判定し、変わった場合には、ステップＳ１５に戻り、変
わらなかった場合には、ステップＳ２０に戻りステップＳ２２までの処理を繰り返す。ス
テップＳ２３では、表示体制御部５を介して表示体６の表示状態を秘匿モードに入る直前
の表示状態（以下通常モードという）に戻す秘匿モードからの復帰処理を行ない、ステッ
プＳ１に移行して上記のステップを繰り返す。
【００５２】
ここで、図６の処理において、ステップＳ１〜Ｓ１１の処理および動きセンサ２（圧電
式ジャイロ２０）が動作検出部に対応し、ステップＳ１２の処理が画像秘匿処理部に対応
する。また、ステップＳ１３〜Ｓ２２の処理及び動きセンサ２（圧電式ジャイロ２０）が
再表示要求検出部に対応し、ステップＳ２３の処理が画像表示再開部に対応する。
また、図７の処理において、ステップＳ６１の処理が最大回転角算出手段に対応し、ス
テップＳ６２〜Ｓ６４の処理が比較対象画素選択手段に対応し、ステップＳ６４の処理が
平均値算出手段に対応し、ステップＳ６５の処理が輝度情報変換手段に対応する。
【００５３】
次に、上記第１実施形態の動作を説明する。
まず、通常時の画像表示処理作業として、入力部１０から画像情報表示要求がないとき
には、画像情報表示要求があるまで待機し、画像情報表示要求があるときには（ステップ
Ｓ９０）、画像メモリ部８から必要な画像情報が選択され（ステップＳ９１）、選択され
た画像情報が表示体６に出力され、画像が表示される（ステップＳ９２）。
【００５４】
一方、図６の画像秘匿・再表示処理が実行されると、携帯電話機１００に秘匿モードが
設定されているか否かが判定され（ステップＳ２）、設定されていれば筐体１の角速度ω
の取得が行なわれ、設定されていなければ角速度ωの取得は行なわれず処理作業は終わる
。
ここで、秘匿モードが設定され、秘匿性を有する画像情報ではない通常の画像表示状態
では、その表示画像を他人が視認可能な状態となっても、筐体１を左右に揺動させる秘匿
要求動作を行うことはなく、筐体１がユーザにより何気なく左右に振られたとしても、そ
の振り方が角速度の秘匿動作判断閾値ωｓ、秘匿動作判断回数Ｎｓには達しないので不用
意に秘匿モードに入ることはない。
【００５５】
ところが、他人に見られたくない画像情報を表示していて他人が近づいてきたことを察
知した場合には、ユーザが画像を秘匿するために筐体１を手首又は肘を中心にして左右に
素早く振る秘匿要求動作を行う。このため、動きセンサ２（圧電式ジャイロ２０）でヨー
レートを検出し、これに応じた角速度ωが取得される。角速度ωの絶対値｜ω｜が予め設
定してある秘匿動作判断閾値ωｓ以上となるので、振った回数が秘匿要求動作回数Ｎとし
てインクリメントされ（ステップＳ５）、このとき、初回の秘匿要求動作であるので秘匿
要求動作経過時間Ｔの計時を開始し（ステップＳ７）、引き続き振るごとに角速度ωを取
得する（ステップＳ１０）。その後、断続して筐体１を左右に振る秘匿要求動作が繰り返
されて、3回以上となると、秘匿要求動作と判断され、秘匿モード処理が行なわれる（ス
テップＳ１２）。
【００５６】
このとき、検出される角速度ωの符号変化によって、左右に振る動作が継続されている
ことを検出する。ここで、秘匿動作判断回数Ｎｓは誤動作の発生度合い及び秘匿モードへ
の切り換わり度合いを考慮して決定されるが、３〜４回とすることが実用上好ましい。
このため、一方向に振られた場合、例えば落下した場合等には、角速度ωの符号が変わ
らないので秘匿要求動作回数Ｎとしてはインクリメントされず、誤動作を防ぐことができ
る。
【００５７】
上記のように、決められた速さ・方向で、決められた時間内に、決められた回数以上振
ると秘匿要求動作と認識され秘匿モード処理が行なわれ、そうでなければ秘匿モード処理
が行なわれず、無用な誤動作を防いでいる。ここで秘匿動作判断経過時間Ｔｓは、誤動作
の発生度合い及び秘匿モードへの切り換わり度合いを考慮して決定されるが、実用上２〜
３秒間が好ましい。このような秘匿要求動作時には、筐体１が素早く左右に振れているの
で表示面に秘匿したい画像情報が表示されていても、これを他人が視認することはできな
い。
【００５８】
そして、秘匿モード処理（ステップＳ１２）が実行されると、まず、表示体６の表示面
に垂直な軸に対する角速度データが積分され、最大回転角度θ（例えば１２０度）が求め
られる（ステップＳ６１）。次に秘匿モード処理の開始画素が左上の画素とされる（ステ
ップＳ６２）。
次に、この当該処理対象画素から表示体６の中心点までの距離Ｒ（例えば３０ｍｍ）が
求められ（ステップＳ６３）、表示体６の中心点を原点、当該処理対象画素を起点とする
、角度θ（１２０度）半径Ｒ（３０ｍｍ）の円弧上にある総ての画素の輝度平均値Ａが求
められる（ステップＳ６４）。次に、当該処理対象画素の輝度が輝度平均値Ａに置き換え
られる（ステップＳ６５）。
【００５９】
次に、表示体６の画素が総て処理されていれば、総ての画素の置き換えられた輝度に基
づき、表示体６に画素データが表示されることにより（ステップＳ６８）、画像情報が確
実に秘匿されて視認不能な状態とすることができる。
この処理作業では表示体６の特に外周四隅部の画素は輝度の平均化対象の画素数が少な
いので、処理後も画像の変化が少ないが、表示体６に表示される画像は、通常重要部分は
中央部に位置し、外周部には重要ではない部分が表示される傾向があるため、画像を秘匿
する上で殆ど影響はない。また、その意味では、上記円弧が表示体６の表示外周縁部に内
接する状態になる画素から処理を始めてもよい。
【００６０】
その後、他人がいなくなって、秘匿した画像情報を再表示したいときには、秘匿要求動
作と同様の再表示要求動作を行う。すなわち、再表示要求動作回数Ｎ１が再表示判断回数
Ｎ１ｒを超えると、秘匿モードから通常モードへの復帰処理作業が行なわれ、画像メモリ
部８に退避されていた秘匿された画像情報が表示部に再表示される。
【００６１】
上記第１の実施形態によれば、従来のような緊急時に操作の難しいボタン操作をするこ
となく、筐体１を振るという簡単な操作で、他人に見られたくない画像情報を容易に秘匿
することができる。つまり、振ることにより表示画像を他人が視認することは困難となり
、画像秘匿が行なわれる。このため、秘匿要求動作を検出したときに瞬時に画像秘匿処理
を行う必要はなく、秘匿処理に時間を要する場合でも画像を確実に秘匿することができる
。また、筐体１の振り方で最大回転角θが異なり、これに応じて秘匿したい画像情報の画
像処理の程度も変わるので、筐体１の振り方を変えることにより秘匿したい画像情報の秘
匿度のレベルに応じた画像処理を行うことが可能になるという効果がある。また、画像処
理により各画素の輝度が変更されているが、画像としては表示されているため、秘匿状態
であることが容易に認識できるという効果がある。
【００６２】
次に、本発明の第２実施形態について図８のフローチャートに基づいて説明する。なお
、第２実施形態は第１実施形態に対して、ステップＳ１２の秘匿モード処理の内容のみが
異なるため、ステップＳ１２の秘匿モード処理の内容について説明し、その他の説明は省
略する。
まず、ステップＳ４０では、データメモリ部７に記憶されている演算部４で算出した角
速度データから筐体１が振られた（秘匿要求動作）回数Ｎとそのときの最大振幅Ｗを計算
して、ステップＳ４１に移行する。ステップＳ４１では、求めたＮから表示体６の表示領
域をＮｘＮのエリアに等分割して、ステップＳ４２に移行する。ステップＳ４２では、最
初の処理対象エリアを左上のエリアとして、左上から右下の順番で処理を行うこととし、
各エリアに番号を付して、ステップＳ４３に移行する。ステップＳ４３では、最大振幅Ｗ
をパラメータに使用して１〜ＮｘＮまでの範囲の乱数Ｐを発生させて、ステップＳ４４に
移行する。
【００６３】
次にステップＳ４４では、この乱数Ｐを用いて、現在の処理対象エリアの表示データと
Ｐ番目のエリアの表示データとを入れ換えて、ステップＳ４５に移行する。ステップＳ４
５では、最後の処理対象エリアか否かを判定し、最後の処理対象エリアであれば、ステッ
プＳ４７に移行し、最後の処理対象エリアでなければステップＳ４６に移行して処理対象
エリアを次のエリアとしステップＳ４３以降の処理を続ける。
【００６４】
次に、ステップＳ４７では、総てのエリアで入れ換えた表示データを、表示体制御部５
を介して表示体６に表示して、秘匿モード処理を終了する。
次に、上記第２実施形態の動作を説明する。
この実施形態では秘匿モード処理が実行されると、筐体１が振られた回数Ｎとそのとき
の最大振幅Ｗが計算され（ステップＳ４０）、求められたＮから表示体６の表示領域がＮ
×Ｎのエリアに等分割される（ステップＳ４１）。例えば、Ｎが１０ならば１０×１０＝
１００のエリアに等分割される。
【００６５】
次に、最初の処理対象エリアが表示体６の左上のエリアとされ、各エリアに１から１０
０の番号が付される（ステップＳ４２）。次に、最大振幅Ｗがパラメータに使用されて１
〜１００までの範囲の乱数Ｐが発生させられる（ステップＳ４３）。
次に、この乱数Ｐ（例えば５５）が用いられて、現在の処理対象エリア（例えば５番目
）の表示データと５５番目のエリアの表示データとが入れ換えられる（ステップＳ４４）
。次に、最後の処理対象エリアであれば、総てのエリアで入れ換えられた表示データが表
示体６に表示されることにより（ステップＳ４７）、画像情報が秘匿され、秘匿モード処
理作業が終わる。最後の処理対象エリアでなければ最後の処理対象エリアとなるまで上記
の処理作業が続けられる。
【００６６】
上記第２実施形態によれば、筐体１の振られた回数Ｎ、最大振幅Ｗに応じて画像情報を
複数のエリアに等分割して、このエリア同士を入れ換えることにより、秘匿したい画像情
報がパズル状になり、画像情報を確実に秘匿することが可能になる。また、筐体１の振り
方でカウントされる回数Ｎ、最大振幅Ｗが異なり、これに応じて画像情報の画像処理の程
度（分割数の多少）も変わるので、筐体１の振る回数を変えることにより画像情報の秘匿
度のレベルに応じた画像処理を行うことが可能になるという効果がある。また、分割され
た個々の画像からユーザ本人にはどの画像が秘匿されたか認識し易いという効果がある。
【００６７】
次に、本発明の第３実施形態について図９のフローチャートに基づいて説明する。なお
、第３実施形態は第１実施形態に対して、ステップＳ１２の秘匿モード処理の内容のみが
異なるため、ステップＳ１２の秘匿モード処理の内容について説明し、その他の説明は省
略する。
まず、ステップＳ５０では、データメモリ部７に記憶されている演算部４で算出した角
速度データから筐体１が振られた（秘匿要求動作）回数Ｎとそのときの最大振幅Ｗを計算
して、ステップＳ５１に移行する。ステップＳ５１では、求めたＮから表示体６の表示デ
ータの表示領域と、画像メモリ部８に記憶されている別の画像データの表示領域（サイズ
は上記表示データの表示領域と同じ）を夫々ＮｘＮのエリアに等分割して、ステップＳ５
２に移行する。
【００６８】
次にステップＳ５２では、表示データの最初の処理対象エリアを左上のエリアとして、
左上から右下の順番で番号を付して処理を行うこととし、別の画像データにも前述の表示
データの続き番号を左上から右下の順番で付して、ステップＳ５３に移行する。ステップ
Ｓ５３では、最大振幅Ｗをパラメータに使用して１〜２ｘＮｘＮまでの範囲の乱数Ｐ１を
発生させて、ステップＳ５４に移行する。
【００６９】
次にステップＳ５４では、この乱数Ｐ１を用いて、現在の処理対象エリアの表示データ
と、残りの表示データ及び別の画像情報の中からＰ１番目に該当するエリアの表示データ
とを入れ換えて、ステップＳ５５に移行する。ステップＳ５５では、最後の処理対象エリ
アか否かを判定し、最後の処理対象エリアであればステップＳ５７に移行し、最後の処理
対象エリアでなければステップＳ５６に移行して処理対象エリアを次のエリアとしステッ
プＳ５３以降の処理を続ける。
【００７０】
次に、ステップＳ５７では、総てのエリアで入れ換えた表示データを、表示体制御部５
を介して表示体６に表示して、秘匿モード処理を終了する。
この図９の処理において、ステップＳ５１の画像メモリ部８が参照用画像情報記憶部に
対応し、画像メモリ部８に記憶されている別の画像データが参照用画像情報に対応する。
次に、上記第３実施形態の動作を説明する。
【００７１】
この第３実施形態でも、秘匿モード処理が実行されると、筐体１が振られた回数Ｎとそ
のときの最大振幅Ｗが計算され（ステップＳ５０）、求められたＮから表示体６の表示デ
ータの表示領域と、画像メモリ部８に記憶されている別の画像データの表示領域とが夫々
ＮｘＮのエリアに等分割される（ステップＳ５１）。例えば、Ｎが１０ならば１０ｘ１０
＝１００のエリアに夫々等分割される。
【００７２】
次に、表示データの最初の処理対象エリアが表示体６の左上のエリアとされ、左上から
右下の順番で１から１００の番号が付されて処理が行なわれることとされ、別の画像情報
にも前述の表示データの続き番号１０１から２００が左上から右下の順番で付される（ス
テップＳ５２）。
次に、最大振幅Ｗがパラメータに使用されて１〜２００までの範囲の乱数Ｐ１が発生さ
せられる（ステップＳ５３）。
【００７３】
次に、この乱数Ｐ１（例えば１２８）が用いられて、現在の処理対象エリア（例えば１
９番目）の表示データと、残りの表示データ及び別の画像データの中から１２８番目に該
当するエリアの表示データとが入れ換えられる（ステップＳ５４）。
次に、最後の処理対象エリアであれば総てのエリアで入れ換えられた表示データが、表
示体６に表示されることにより（ステップＳ５７）、秘匿したい画像情報が秘匿され、秘
匿モード処理作業が終わる。最後の処理対象エリアでなければ、最後の処理対象エリアと
なるまで上記の処理作業が続けられる。
【００７４】
上記第３実施形態によれば、筐体１の振られた回数Ｎ、最大振幅Ｗに応じて視認してい
る画像情報及び別の画像データを複数のエリアに等分割して、このエリア同士を入れ換え
ることにより、視認している画像情報が複雑なパズル状になり、画像情報をより確実に秘
匿することが可能になる。また、筐体１の振り方でカウントされる回数Ｎ、最大振幅Ｗが
異なり、これに応じて秘匿したい画像情報の画像処理の程度（分割数の多少）も変わるの
で、筐体１の振り方を変えることにより画像情報の秘匿度のレベルに応じた画像処理を行
うことが可能になるという効果がある。
次に、本発明の第４実施形態について図１０のフローチャートに基づいて説明する。な
お、第４実施形態は第１実施形態に対して、ステップＳ１２の秘匿モード処理の内容のみ
が異なるため、ステップＳ１２の秘匿モード処理の内容について説明し、その他の説明は
省略する。
【００７５】
まず、ステップＳ３０では、データメモリ部７に記憶されている演算部４で算出した角
速度データを複数の時間帯に分割してからステップＳ３１に移行する。ステップＳ３１で
は、処理対象時間帯を最初の時間帯として設定してからステップＳ３２に移行する。ステ
ップＳ３２では、上記データから処理対象時間帯における動きの方向θ１とその量Ｌを計
算して、ステップＳ３３に移行する。ステップＳ３３では動きの方向θ１と動きの量Ｌか
らボカシフィルタを生成して、ステップＳ３４に移行する。ステップＳ３４では、生成し
たボカシフィルタに基づいて表示データをフィルタ処理して画像メモリ部８に原画像デー
タとは異なる領域に記憶してから、ステップＳ３５に移行する。ステップＳ３５では、処
理対象時間帯が最後の時間帯か否かを判定し、最後の時間帯であれば、ステップＳ３７に
移行し、最後の時間帯でなければステップＳ３６に移行して処理対象時間帯を次の処理対
象時間帯としステップＳ３２以降の処理を続ける。
【００７６】
次にステップＳ３７では、最終的に作成された表示データを、表示体制御部５を介して
表示体６に表示して、秘匿モード処理を終了する。
ここで、図１０の処理において、ステップＳ３０〜Ｓ３３の処理がボカシフィルタ生成
手段に対応し、ステップＳ３４の処理がフィルタ処理手段に対応する。
【００７７】
次に、上記第４実施形態の動作を説明する。
この第４実施形態でも、秘匿モード処理が実行されると、角速度データが複数（例えば
５つ）の時間帯に分割される（ステップＳ３０）。次に、処理対象時間帯が最初の時間帯
とされ（ステップＳ３１）、上記データから処理対象時間帯における動きの方向θ１（例
えば６０度）とその量Ｌ（例えば１５ｍｍ）が計算される。（ステップＳ３２）、
次に、動きの方向θ１（６０度）と動きの量Ｌ（１５ｍｍ）からボカシフィルタが生成
され（ステップＳ３３）、生成されたボカシフィルタに基づき表示データがフィルタ処理
される（ステップＳ３４）。次に、処理対象時間帯が最後の時間帯であれば、最終的に作
成された表示データが、表示体６に表示されることにより（ステップＳ３７）、視認して
いた画像情報が秘匿され、秘匿モード処理作業が終わる。最後の時間帯でなければ、最後
の時間帯になるまで上記の処理作業が続けられる。
【００７８】
上記第４実施形態によれば、筐体１を振ることにより得られた角速度データを、複数の
時間帯に分けて、夫々の時間帯ごとの角速度データに基づいて複数のボカシフィルタを生
成し、秘匿したい画像情報にこのボカシフィルタに基づいたフィルタ処理を、複数の時間
帯分繰り返す画像処理を行うことにより、画素データの置換等の必要がないので秘匿した
い画像情報を容易に秘匿することが可能になるという効果がある。
【００７９】
次に、本発明の第５実施形態について図１１のフローチャートに基づいて説明する。な
お、第５実施形態は第１実施形態に対して、ステップＳ１２の秘匿モード処理の内容のみ
が異なるため、ステップＳ１２の秘匿モード処理の内容について説明し、その他の説明は
省略する。
まず、ステップＳ７０では、表示データ（画像データ）とは異なる画像メモリ部８に記
憶されている別の画像データである代替画像データを読み込み、ステップＳ７１に移行す
る。ステップＳ７１では、表示データを代替画像データに置き換え、ステップＳ７２に移
行する。
【００８０】
次にステップＳ７２では、置き換えた代替画像データを表示体制御部５を介して表示体
６に表示し、秘匿モード処理を終了する。
この図１１の処理において、ステップＳ７０の画像メモリ部８が代替画像情報記憶部に
対応し、画像メモリ部８に記憶されている別の画像データである代替画像データが代替画
像情報に対応する。
【００８１】
次に、上記第５実施形態の動作を説明する。
この第５実施形態では、秘匿モード処理が実行されると、表示データ（画像データ）と
は異なる画像メモリ部８に記憶されている別の画像データである代替画像データが読み込
まれ（ステップＳ７０）、表示データが代替画像データに置き換えられる（ステップＳ７
１）。
【００８２】
次に、置き換えられた代替画像データが表示体６に表示されることにより（ステップＳ
７２）、秘匿したい画像情報が秘匿され、秘匿モード処理作業が終わる。
上記第５実施形態によれば、秘匿したい画像情報を別の代替画像情報に切り替えること
で、秘匿したい画像情報を容易に且つ確実に秘匿することができるという効果がある。ま
た、代替画像を選定することにより、秘匿状態か否かの判別が容易になる。という効果が
ある。
【００８３】
次に、本発明の第６実施形態について図１２のフローチャートに基づいて説明する。な
お、第６実施形態は第１実施形態に対して、ステップＳ１２の秘匿モード処理の内容のみ
が異なるため、ステップＳ１２の秘匿モード処理の内容について説明し、その他の説明は
省略する。
ステップＳ８０では、表示体６への表示データ（画像データ）の供給を停止して、表示
体６への画像情報を消去し、表示体制御部５を介して表示体６を無表示状態にし、秘匿モ
ード処理を終了する。
【００８４】
この図１２の処理において、表示データ（画像データ）が画像情報に対応する。
次に、上記第６実施形態によると、秘匿モード処理が行なわれることにより、表示体６
への表示データの供給が停止されて（ステップＳ８０）、表示体６への画像情報が消去さ
れ、表示体６が無表示状態にされることにより秘匿したい画像情報が秘匿される。
上記第６実施形態によれば、表示データ（画像データ）の供給を停止して、表示体６の
表示状態を無表示状態にすることにより、秘匿したい画像情報を容易に且つ確実に秘匿す
ることができるという効果がある。
【００８５】
次に、本発明の第７実施形態について図１３のフローチャートに基づいて説明する。第
７実施形態では、第１実施形態に対して入力部１０からの入力情報に基づく秘匿モードか
ら通常モードへの復帰処理の判定ステップのみが異なるため、この部分を中心に説明し、
第１実施形態と同様の部分については説明を省略する。
本第７実施形態では、演算部４が入力部１０からの入力情報に基づき、画像処理の中の
秘匿モードから通常モードへの復帰処理（秘匿モードからの復帰処理）に移行してよいか
否かの判定処理を行う。
【００８６】
次に、演算部４での画像処理について説明する。ステップＳ１〜ステップＳ１２までは
、第１実施形態と同様なので説明は省略する。
ステップＳ１２の秘匿モード処理の後、ステップＳ１００へ移行する。ステップＳ１０
０では、入力部１０に入力ボタン等から通常モードへの復帰パスワードの入力または、通
常モードへの復帰専用キーの入力があるか否かを判定し、入力がある場合には、ステップ
Ｓ２３に移行し、入力がない場合には入力があるまでこのステップを繰り返す。
【００８７】
次にステップＳ２３では、表示体制御部５を介して表示体６の表示状態を通常モードに
戻す秘匿モードからの復帰処理を行ない、ステップＳ１に移行して上記のステップを繰り
返す。
この図１３の処理において、復帰パスワードが、再表示要求パスワードに対応し、復帰
専用キーが、再表示要求キーに対応し、ステップＳ１００の処理がキー入力検出部に対応
する。
【００８８】
次に、上記第７実施形態によると、秘匿モード処理（ステップＳ１２）によって秘匿し
たい画像情報を秘匿した後、入力部１０に入力ボタン等から通常モードへの復帰パスワー
ドの入力または、通常モードへの復帰専用キーの入力があった場合に、表示体６の表示状
態を通常モードに戻す秘匿モードからの復帰処理が行なわれる（ステップＳ２３）。
上記第７実施形態によれば、画像情報が秘匿されている状態で、入力ボタン等から復帰
パスワードまたは復帰専用キーを入力することにより、容易に秘匿された画像情報を再表
示させることが可能になるという効果がある。すなわち、秘匿表示にするときは緊急性を
要し、慌てるためボタン操作では確実な秘匿表示を実現できないので、ベース部材１ｂの
動きを検出するが、秘匿された画像情報を再表示する復帰時にはゆっくりと操作する余裕
があるので簡単に通常表示にできるようにボタン操作を可能にしている。
【００８９】
次に、本発明の第８実施形態について図１４のブロック図、及び図１５のフローチャー
トに基づいて説明する。第８実施形態では、第１実施形態に対して外部機器接続部１１が
追加され、秘匿モードから通常モードへの復帰処理の判定ステップのみが異なるため、こ
の部分を中心に説明し、第１実施形態と同様の部分については説明を省略する。
図１４のブロック図において、本第８実施形態では第１実施形態の構成に加えて、外部
機器１３を接続する外部機器接続部１１を備えている。演算部４はこの外部機器接続部１
１を制御し外部機器接続部１１への新たな外部機器１３の接続の有無に基づき、画像処理
の中の秘匿モードから通常モードへの復帰処理（秘匿モードからの復帰処理）に移行して
よいか否かの判定処理を行う。
【００９０】
次に、演算部４での画像処理について図１５のフローチャートに基づいて説明する。ス
テップＳ１〜ステップＳ１２までは、第１実施形態と同様なので説明は省略する。
ステップＳ１２の秘匿モード処理の後、ステップＳ１０１へ移行する。ステップＳ１０
１では、外部機器接続部１１に新たに外部機器１３が接続されたか否かを判定する。新た
に接続された場合には、ステップＳ２３に移行し、新たに接続されない場合には新たに接
続されるまでこのステップを繰り返す。
【００９１】
次にステップＳ２３では、表示体制御部５を介して表示体６の表示状態を通常モードに
戻す秘匿モードからの復帰処理を行ない、ステップＳ１に移行して上記のステップを繰り
返す。
この図１５の処理において、ステップＳ１０１の処理が外部機器接続検出部に対応する
。
【００９２】
次に、上記第８実施形態によると、秘匿モード処理（ステップＳ１２）によって秘匿し
たい画像情報を秘匿した後、外部機器接続部１１に新たに外部機器１３が接続された場合
に、表示体６の表示状態を通常モードに戻す秘匿モードからの復帰処理が行なわれる（ス
テップＳ２３）。
なお、外部機器１３としては特定の機器に限定せず、充電器や、イヤホン、外部記憶装
置など外部から接続可能なものなら何でもよい。例えば充電器を接続することにより、通
常モードへの復帰処理が行なわれ、秘匿された画像情報を再表示させることができる。
【００９３】
上記第８実施形態によれば、画像情報が秘匿されている状態で、再表示したいときにユ
ーザの意思で携帯電話機１００に外部機器１３を接続することにより、容易に秘匿された
画像情報を再表示させることが可能になるという効果がある。（別途、特別なキーを設け
ることなく、既存の機器を使用して再表示させることができる。）
次に、本発明の第９実施形態について図１６のブロック図、及び図１７のフローチャー
トに基づいて説明する。第９実施形態では、第１実施形態に対して通信部１２が追加され
、秘匿モードから通常モードへの復帰処理の判定ステップのみが異なるため、この部分を
中心に説明し、第１実施形態と同様の部分については説明を省略する。
【００９４】
図１６のブロック図において、本第９実施形態では第１実施形態の構成に加えて、外部
通信機器１４と通信する通信部１２を備えている。演算部４はこの通信部１２を制御し、
通信部１２への新たな外部通信機器１４からの通信の有無に基づき、画像処理の中の秘匿
モードから通常モードへの復帰処理（秘匿モードからの復帰処理）に移行してよいか否か
の判定処理を行う。
【００９５】
次に、演算部４での画像処理について図１７のフローチャートに基づいて説明する。ス
テップＳ１〜ステップＳ１２までは、第１実施形態と同様なので説明は省略する。
ステップＳ１２の秘匿モード処理の後、ステップＳ１０２へ移行する。ステップＳ１０
２では、通信部１２に新たに外部通信機器１４から通信があったか否かを判定する。新た
に通信があった場合には、ステップＳ２３に移行し、新たに通信がない場合には新たに通
信があるまでこのステップを繰り返す。
【００９６】
次にステップＳ２３では、表示体制御部５を介して表示体６の表示状態を通常モードに
戻す秘匿モードからの復帰処理を行ない、ステップＳ１に移行して上記のステップを繰り
返す。
この図１７の処理において、ステップＳ１０２の処理が通信検出部に対応する。
次に、上記第９実施形態によると、秘匿モード処理（ステップＳ１２）によって画像情
報が秘匿された後、通信部１２に新たに外部通信機器１４から通信があった場合に、表示
体６の表示状態を通常モードに戻す秘匿モードからの復帰処理が行なわれる（ステップＳ
２３）。
【００９７】
なお、外部通信機器１４としては、電話器、無線機器など外部から通信可能なものなら
何でもよい。例えば他の電話機から携帯電話機１００に電話をかけることにより、通常モ
ードへの復帰処理が行なわれ、秘匿された画像情報を再表示させることができる。
上記第９実施形態によれば、秘匿したい画像情報が秘匿されている状態で、再表示した
いときにユーザの意思で、身近にある一般的な外部通信機器１４から携帯電話機１００に
電話をかけることにより、容易に秘匿された画像情報を再表示させることが可能になると
いう効果がある。もちろん他者からの電話でも同様である。
【００９８】
次に、本発明の第１０の実施形態について図１８の斜視図と、図１９のブロック図と、
図２０及び図２１のフローチャートとに基づいて説明する。
この第１０の実施形態では、複数の異なる動作パターンを組み合わせた画像秘匿要求動
作を検出するようにしたものである。
この第１０の実施形態では、図１８に示すように、携帯電話機１００の蓋部材１ｂに、
筐体１の水平方向の揺動状態を検出する動きセンサ２Ｘと筐体１の垂直方向の揺動状態を
検出する動きセンサ２Ｙとが設けられて、これら動きセンサ２Ｘ及び２Ｙで検出された角
速度ωX及びωYが、図１９に示すように、角速度ωX及びωYをデジタル信号に変換するデ
ータ変換部３に入力されるように構成されている。
【００９９】
一方、演算部４で実行される画像秘匿・再表示処理が、図２０に示すように、前述した
第１の実施形態における図６の構成において、ステップＳ１の処理が秘匿要求動作回数Ｎ
X1、ＮY及びＮX2を“０”に初期化すると共に、秘匿要求動作経過時間Ｔを“０”に初期
化する処理に変更されると共に、ステップＳ３〜Ｓ１１の秘匿要求動作検出処理が省略さ
れ、これに代えて図２０のステップＳ１１０で、図２１に示す秘匿要求動作検出処理を実
行するように変更されていることを除いては図６と同様の処理を行い、図６との対応処理
には同一ステップ番号を付し、その詳細説明はこれを省略する。
【０１００】
すなわち、図２０におけるステップＳ１１０の秘匿要求動作検出処理は、図２１に示す
ように、先ず、ステップＳ１１１で、動きセンサ２Ｘ及び２Ｙの角速度ωX及びωYを取得
し、次いでステップＳ１１２〜Ｓ１２２で構成される水平方向の第１の変化パターンを検
出する水平方向秘匿要求動作検出処理に移行する。
この水平方向秘匿要求動作検出処理では、先ず、ステップＳ１１２で、水平方向の角速
度ωXが垂直方向の角速度ωYより大きい水平方向揺動状態であるか否かを判定し、ωX≦
ωYであるときには、水平方向の揺動ではないと判断してステップＳ１１３に移行して、
後述する秘匿要求動作経過時間Ｔが予め設定した秘匿動作判断経過時間Ｔｓを経過したか
否かを判定し、秘匿動作判断経過時間Ｔｓを経過していないときにはそのまま前記ステッ
プＳ１１１に戻り、秘匿動作判断経過時間Ｔｓを経過しているときには本来の秘匿要求動
作ではないものと判断してステップＳ１１４に移行し、秘匿要求動作経過時間Ｔを“０”
に初期化すると共に、秘匿要求動作回数ＮX1を“０”に初期化してから前記ステップＳ１
１１に戻る。
【０１０１】
一方、ステップＳ１１２の判定結果が、ωX＞ωYであるときには秘匿要求動作の可能性
があるものと判断してステップＳ１１３に移行する。このステップＳ１１３では、水平方
向の角速度ωXの絶対値｜ωX｜が予め設定した秘匿動作判断閾値ωｓ以上であるか否かを
判定し、｜ωX｜＜ωｓであるときには秘匿要求動作ではないものと判断して前記ステッ
プＳ１１３に移行し、｜ωX｜≧ωｓであるときには秘匿要求動作であるものと判断して
ステップＳ１１５に移行する。
【０１０２】
このステップＳ１１５では、現在の秘匿要求動作回数ＮX1に“１”をインクリメントし
た値を新たな秘匿要求動作回数ＮX1として設定してからステップＳ１１６に移行する。
このステップＳ１１６では、初回の秘匿要求動作であるか否かを判定し、初回の秘匿要
求動作であるときには、ステップＳ１１７に移行して、秘匿要求動作経過時間Ｔの計時を
開始してから後述するステップＳ１２１に移行し、初回の秘匿要求動作ではなく２回目以
降の秘匿要求動作であるときにはステップＳ１１８に移行する。
【０１０３】
このステップＳ１１８では、秘匿要求動作回数ＮX1が予め設定してある秘匿動作判断回
数ＮSX1に一致したか否かを判定し、ＮX1＜ＮSX1であるときにはステップＳ１１９に移行
して、秘匿要求動作経過時間Ｔが秘匿動作判断経過時間Ｔｓ以上であるか否かを判定し、
Ｔ≧Ｔｓであるときには本来の秘匿要求動作ではないと判断してステップＳ１２０に移行
し、秘匿要求動作経過時間Ｔを“０”に初期化すると共に、秘匿要求動作回数ＮX1を“０
”に初期化してから前記ステップＳ１１１に戻る。
【０１０４】
一方、ステップＳ１１９の判定結果が、Ｔ＜Ｔｓであるときには秘匿要求動作判断を継
続するものと判断してステップＳ１２１に移行して、再度動きセンサ２Ｘで検出された水
平角速度ωXを取込み、次いで、ステップＳ１２２に移行して、水平角速度ωXの符号が反
転したか否かを判定し、水平角速度ωXの符号が反転していないときには水平方向の一方
側への移動を継続しているものと判断して前記ステップＳ１１９に戻り、水平角速度ωX
の符号が反転したときには前記ステップＳ１１１に戻る。
さらに、前記ステップＳ１１８の判定結果が、ＮX1＝ＮSX1であるときには、水平方向
の秘匿要求動作判断が完了したものと判断してステップＳ１２３〜Ｓ１３３で構成される
垂直方向の変化パターンを検出する垂直方向秘匿要求動作検出処理に移行する。
【０１０５】
この垂直方向秘匿要求動作検出処理では、先ず、ステップＳ１２３で、前述したステッ
プＳ１１１と同様に動きセンサ２Ｘ及び２Ｙで検出した水平角速度ωX及び垂直角速度ωY
を取得し、次いでステップＳ１２４に移行して、垂直方向角速度ωYが水平方向角速度ωX
より大きいか否かを判定し、ωY≦ωXであるときには秘匿要求動作ではないと判断してス
テップＳ１２５に移行し、秘匿要求動作経過時間Ｔが秘匿要求動作判断時間Ｔｓ以上とな
ったか否かを判定し、Ｔ＜Ｔｓであるときには秘匿要求動作の検出を継続するものと判断
して前記ステップＳ１２３に戻り、Ｔ≧Ｔｓであるときには本来の秘匿要求動作ではない
ものと判断してステップＳ１２６に移行し、秘匿要求動作経過時間Ｔを“０”に初期化す
ると共に、秘匿要求動作回数ＮX1及びＮYを“０”に初期化してから前記ステップＳ１１
１に戻る。
【０１０６】
一方、前記ステップＳ１２４の判定結果が、ωY＞ωXであるときには垂直方向秘匿動作
ではないものと判断してステップＳ１２７に移行して、垂直角速度ωYの絶対値｜ωY｜が
設定された秘匿動作判断閾値ωｓ以上であるか否かを判定し、｜ωY｜＜ωｓであるとき
には、前記ステップＳ１２５に移行し、｜ωY｜≧ωｓであるときには垂直方向秘匿動作
であると判断してステップＳ１２８に移行して、現在の秘匿要求動作回数ＮYに“１”を
インクリメントした値を新たな秘匿要求動作回数ＮYに設定してからステップＳ１２９に
移行する。
【０１０７】
このステップＳ１２９では、秘匿要求動作回数ＮYが予め設定された秘匿要求動作判断
回数ＮSYに一致したか否かを判定し、秘匿要求動作判断回数ＮSY未満（ＮY＜ＮSY）であ
るときには垂直方向秘匿動作検出が終了していないものと判断してステップＳ１３０に移
行し、秘匿要求動作経過時間Ｔが秘匿要求動作判断時間Ｔｓ以上であるか否かを判定し、
Ｔ≧Ｔｓであるときには本来の秘匿要求動作ではないものと判断してステップＳ１３１に
移行し、秘匿要求動作経過時間Ｔを“０”に初期化すると共に、秘匿要求動作回数ＮX1及
びＮYを“０”に初期化してから前記ステップＳ１１１に戻る。
【０１０８】
一方、前記ステップＳ１３０の判定結果が、Ｔ＜ＴｓであるときにはステップＳ１３２
に移行して、再度垂直方向角速度ωYを取得し、次いでステップＳ１３３に移行して、垂
直方向角速度ωYの符号が反転したか否かを判定し、符号が反転していないときには前記
前記ステップＳ１３０に戻り、符号が反転したときには前記ステップＳ１２３に戻る。
さらに、前記ステップＳ１２９の判定結果が、秘匿要求動作回数ＮYが秘匿要求動作判
断回数ＮSYに達したときには垂直方向秘匿要求動作検出処理が終了したものと判断してス
テップＳ１３４に移行する。
【０１０９】
このステップＳ１３４では、図示しないが、前述したステップＳ１１１〜Ｓ１２２と同
様の処理を行う第２の水平方向秘匿要求動作検出処理を行って第２の秘匿要求動作回数Ｎ
X2が秘匿要求動作判断回数ＮSX2に達したか否かを判定し、秘匿要求動作回数ＮX2が秘匿
要求動作判断回数ＮSX2に達する前に秘匿要求動作経過時間Ｔが設定した秘匿要求動作判
断時間Ｔｓに達したときには秘匿要求動作経過時間Ｔを“０”に初期化すると共に、秘匿
要求動作回数ＮX1、ＮY及びＮX2を“０”に初期化してから前記ステップＳ１１１に戻り
、秘匿要求動作回数ＮX2が秘匿要求動作判断回数ＮSX2に達したときには第２の水平方向
秘匿要求動作検出処理が終了し、正規の秘匿要求動作の完了を検出したものと判断して図
２０のステップＳ１２に移行する。
【０１１０】
この図２１の処理が画像秘匿処理部に対応している。
この第１０の実施形態によると、例えば秘匿要求動作判断回数ＮSX1を“３”、ＮSYを
“２”、ＮSX2を“４”に設定すると、筐体１を左右方向に３回揺動させてから上下方向
に２回揺動させ、さらに左右方向に４回揺動させたときに、秘匿要求動作として認識する
ので、秘匿要求動作と通常の筐体の動きとを正確に判別することができ、秘匿要求動作を
正確に検出することができる。
【０１１１】
なお、上記第１０の実施形態においては、筐体１を最初に水平方向に揺動させ、次いで
垂直方向に揺動させ、最後に水平方向に揺動させる変化パターンを組合せた場合について
説明したが、これに限定されるものではなく、水平方向及び垂直方向の揺動の組合せパタ
ーンに任意に設定することができると共に、水平方向及び垂直方向の秘匿要求動作判断回
数の設定値も任意に設定することができる。
【０１１２】
また、上記第１０の実施形態においては、筐体１の上下方向及び左右方向の揺動を組み
合わせた変化パターンを秘匿要求動作とする場合について説明したが、これに限定される
ものではなく、２つの動きセンサ２Ｘ及び２Ｙで検出した水平方向角速度ωX及び垂直方
向角速度ωYに基づいて筐体１の円運動を検出することもでき、筐体１の円運動を秘匿要
求動作とすることもできる。
【０１１３】
さらに、上記各実施形態においては、角速度の検出に圧電式ジャイロを適用した場合に
ついて説明したが、これに限定されるものではなく、他の形式のジャイロや他の角速度セ
ンサを適用してもよく、要は筐体１の角速度を検出することができればよいものである。
または、加速度センサを適用して、筐体１の加速度を検出してもよい。また、携帯型表示
装置としては、携帯電話機のほかに、デジタルカメラ、ＰＤＡ（Ｐｅｒｓｏｎａｌ  Ｄｉ
ｇｉｔａｌ  Ａｓｓｉｓｔａｎｔ）など幅広い機器に適用可能である。
【０１１４】
さらに、上記各実施形態においては、画像秘匿要求動作と再表示要求動作とが同一方向
の動作である場合について説明したが、これに限定されるものではなく、ジャイロ等の角
速度センサを異なる２軸又は３軸に配置することにより、画像秘匿要求動作と再表示要求
動作と個別に検出することが可能となるので、両者を例えば画像秘匿要求動作を左右方向
とし、再表示要求動作を上下方向とするなどの異なる動作とすることもできる。
さらにまた、上記実施形態においては、再表示要求のためのキー入力検出部で、パスワ
ード入力とキーによる入力との何れか一方を検出する場合について説明したが、再表示の
ためのパスワード入力とキー入力との双方を検出するようにしてもよい。
【０１１５】
なおさらに、上記各実施形態においては、液晶パネル、有機ＥＬパネル等の表示体６に
表示する画像情報を秘匿要求動作を検出したときに、他人に視認不能な状態に変化させる
場合について説明したが、これに限定されるものではなく、液晶パネルの表示画面におけ
る階調と輝度比との関係を示す階調カーブの視野各による歪みを調整するための駆動信号
生成部と画像情報を液晶パネルに表示する際に、広視野角での階調特性を確保できるよう
に画像情報を変換するための変換テーブルとを設けることにより、液晶パネルで表示され
る画像情報を広視野角及び狭視野角とで切換え可能に構成し、通常時は広視野角表示で画
像情報を表示し、秘匿要求動作を検出したときに狭視野角に切り換えて他人の視認を防止
するようにすることもできる。
【０１１６】
また、視野角の変更は、上記に限定されるものではなく、白表示時の正面透過率、斜め
視野角の透過率を夫々“１”とした場合に、斜め視野角の透過強度が正面の透過強度より
大きく、且つ画素を構成する一つ又は複数の絵素領域におい、斜め視野角で白浮きする第
１の領域と、斜め視野角で白浮きしない第２の領域とが混在するように液晶の配向状態が
制御された液晶表示パネルと、この液晶表示パネルの第２の領域の全部又は一部を必要に
応じて斜め方向から見て社交状態或いは光透過状態の何れかになるように設定するための
視野角特性制御用パネルとを設けることにより、広視野角と狭視野角とを切換えるように
してもよく、要は視野角を広視野角と狭視野角とに切換え可能な液晶表示装置であれば、
任意の構成を適用することができる。
【０１１７】
また、上記各実施形態においては、表示体６に表示する画像情報を秘匿処理する場合に
ついて説明したが、これに限定されるものではなく、秘匿要求動作を検出したときに、携
帯機器内の他人に見られたくない画像情報や個人情報等を保護するために、メモリなどの
記憶媒体の内容を暗号化して他人の操作によって他人に見られたくない情報を表示できな
くすることもできる。この場合には、秘匿モードからの復帰処理で解読キーを設定して復
号するようにすればよい。さらには秘匿要求動作を検出したときに画像情報等を暗号化せ
ずに、完全に削除するようにしてもよい。
【図面の簡単な説明】
【０１１８】
【図１】本発明の実施形態の斜視図。
【図２】本発明の第１実施形態のブロック図。
【図３】圧電式ジャイロの構成図。
【図４】図３のＤ−Ｄ断面図。
【図５】第１実施形態の通常時フローチャート。
【図６】第１実施形態の秘匿時フローチャート。
【図７】図６の部分詳細フローチャート。
【図８】第２実施形態のフローチャート。
【図９】第３実施形態のフローチャート。
【図１０】第４実施形態のフローチャート。
【図１１】第５実施形態のフローチャート。
【図１２】第６実施形態のフローチャート。
【図１３】第７実施形態のフローチャート。
【図１４】第８実施形態のブロック図。
【図１５】第８実施形態のフローチャート。
【図１６】第９実施形態のブロック図。
【図１７】第９実施形態のフローチャート。
【図１８】第１０実施形態の斜視図。
【図１９】第１０実施形態のブロック図。
【図２０】第１０実施形態のフローチャート。
【図２１】第１０実施形態のフローチャート。
【符号の説明】
【０１１９】
１…筐体、２、２Ｘ、２Ｙ…動きセンサ、３…データ変換部、４…演算部、５…表示体
制御部、６…表示体、７…データメモリ部、８…画像メモリ部、９・・・撮像装置、１０
…入力部、１１…外部機器接続部、１２…通信部、１３…外部機器、１４…外部通信機器
、２０…圧電式ジャイロ
【図１】
2007094378.tif 000003
【図２】
2007094378.tif 000004
【図３】
2007094378.tif 000005
【図４】
2007094378.tif 000006
【図５】
2007094378.tif 000007
【図６】
2007094378.tif 000008
【図７】
2007094378.tif 000009
【図８】
2007094378.tif 000010
【図９】
2007094378.tif 000011
【図１０】
2007094378.tif 000012
【図１１】
2007094378.tif 000013
【図１２】
2007094378.tif 000014
【図１３】
2007094378.tif 000015
【図１４】
2007094378.tif 000016
【図１５】
2007094378.tif 000017
【図１６】
2007094378.tif 000018
【図１７】
2007094378.tif 000019
【図１８】
2007094378.tif 000020
【図１９】
2007094378.tif 000021
【図２０】
2007094378.tif 000022
【図２１】
2007094378.tif 000023